(57)【要約】【課題】ユーザーがパソコンを持っていなくても容易に表示データの編集ができるＬＥＤ表示装置のリモコン装置を提供することを目的とする。【解決手段】上記目的を達成するために、本発明のリモコン装置５０は、キー入力部５１と、発光部２７と、記憶部５２と、記憶部５２に格納された操作プログラム５２ａに基づき、キー入力部５１で押下されたキーを解析し、押下されたキーに対応するコードを発光部２７に対し送信する制御部５３と、記憶媒体からデータを読み込むためのカードインターフェース部５８と、表示データをビデオ信号に変換する信号処理部５５と、テレビのビデオ端子に接続するためのＡＶケーブルが接続されるビデオインターフェース部５７と、を備えている。【選択図】図１
2006292859.tif 000002
【特許請求の範囲】
【請求項１】
複数のＬＥＤ発光体の点滅により文字や図形を表示するＬＥＤ表示装置の表示データの作成や編集に用いられるリモコン装置であって、表示データが記憶された記憶媒体と送受を行なうカードインターフェース部と、前記記憶媒体に記憶された前記表示データをビデオ信号に変換する信号処理部とを備えたことを特徴とするリモコン装置。
【発明の詳細な説明】
【技術分野】
【０００１】
本発明は、複数のＬＥＤ発光素子の点滅により、文字や図形を表示するＬＥＤ表示装置に関し、特にその表示データを作成や編集をするために用いられるリモコン装置に関するものである。
【背景技術】
【０００２】
従来から、複数のＬＥＤ発光素子の点滅により文字や図形を表示するＬＥＤ表示装置が商店の店先などに設置されている。
【０００３】
図４（ａ）は、このようなＬＥＤ表示装置の内部ブロック図である。
【０００４】
図に示されるように、ＬＥＤ表示装置１は、複数のＬＥＤ発光素子が配設され、文字や図形を表示する表示部７と、表示部７の個々のＬＥＤ発光素子を駆動する駆動部５と、表示部７の個々のＬＥＤ発光素子の点滅駆動を行なう制御部３と、記憶部２と、リモコン装置からの赤外線信号を受信するための受光部１０と、ＰＣカードなどの記憶媒体からデータを読み込むためのカードインターフェース部１２とを備えている。
【０００５】
ここで、記憶部２には、制御部３が動作するためのプログラムとなる表示プログラム２ａと、表示部７に表示される表示データとなる業種毎の代表的な表示データを格納した業種データ格納部２ｂと、簡単な文字のフォントデータなどを格納した文字データ格納部２ｃと、独自に作成した表示データを格納する独自データ格納部２ｄとを備えている。
【０００６】
図４（ｂ）は、上述したリモコン装置の内部ブロック図を示したものである。
【０００７】
図に示されるように、リモコン装置１５は、複数のキーからなるキー入力部２５と、赤外線信号を送信するための発光部２７と、記憶部２２と、記憶部２２に格納された操作プログラム２２ａに基づき、キー入力部２５で押下されたキーを解析し、押下されたキーに対応するコードを発光部２７に対し送信する制御部２０とを備えている。
【０００８】
以上述べたＬＥＤ表示装置１において、表示部７に表示データを表示させる場合、ユーザーはリモコン装置１５を操作することにより行なう。
【０００９】
また、独自データの作成については、図５に示されるように、パソコン３０を用いて専用ソフトにより所望の表示データを作成し、作成された表示データをＰＣカードなどの記憶媒体３２に保存し、記憶媒体３２をＬＥＤ表示装置１に接続し、その後、リモコン装置１５を操作することにより、ＬＥＤ表示装置１が記憶媒体３２から表示データを読み込み、記憶部２の独自データ格納部２ｄに格納する（例えば、特許文献１）。
【特許文献１】特開２００３−２２８３３５号公報
【発明の開示】
【発明が解決しようとする課題】
【００１０】
しかしながら、従来のＬＥＤ表示装置では、単に業種データから選択するなどリモコン装置のキー操作の回数が少ない場合は良いが、文字データの入力においては、簡単な文字であってもキー操作の回数が多いため、屋外の天候が雨や風などの気象条件が悪い場合においては、設定しづらく、手間がかかるものであった。
【００１１】
また、独自のデータを作成する上では、ユーザーが自ら作成することが好ましいが、実際にはパソコンを保有していないユーザーが多いため、メーカー側が、ユーザーと調整しながら要望する表示データを作成し、作成された表示データが記憶されたＰＣカードをユーザーに送付するか、もしくは、設置された場所まで行き表示内容を変更するなどして対応しており、手間がかかるものであった。
【００１２】
前記課題に鑑み、本発明は、屋内においても表示データの作成ができるとともに、パソコンを所持していないユーザーであっても容易に表示データの作成ができるリモコン装置を提供することを目的とする。
【課題を解決するための手段】
【００１３】
上記目的を達成するために、本発明のリモコン装置は、表示データが記憶された記憶媒体と送受を行なうカードインターフェース部と、前記記憶媒体に記憶された前記表示データをビデオ信号に変換する信号処理部とを備えている。
【００１４】
係る構成によれば、表示データをビデオ信号に変換できるため、テレビをモニターとして表示データの作成を行なうことができる。
【発明の効果】
【００１５】
以上説明したように、本発明のリモコン装置によれば、ユーザーがテレビをモニターとしながら、屋内で表示データの作成ができるため、屋外の天候を気にすることがなくなる。
【００１６】
また、本発明によれば、表示データの作成にパソコンが必要ないため、パソコンを保有していないユーザーでも作成することができる。
【発明を実施するための最良の形態】
【００１７】
以下本発明を実施するための最良の形態について、図面を参照しながら説明する。
【００１８】
図１は、本発明のリモコン装置の内部構成を示すブロック図である。
【００１９】
図１に示されるように、本発明のリモコン装置５０は、複数のキーからなるキー入力部５１と、赤外線信号を送信するための発光部２７と、記憶部５２と、記憶部５２に格納された操作プログラム５２ａに基づき、キー入力部５１で押下されたキーを解析し、押下されたキーに対応するコードを発光部２７に対し送信する制御部５３と、ＰＣカードなどの記憶媒体からデータを読み込むためのカードインターフェース部５８と、表示データをビデオ信号に変換する信号処理部５５と、テレビのビデオ端子に接続するためのＡＶケーブルが接続されるビデオＩ／Ｆ部５７と、を備えている。
【００２０】
ここで、記憶部５２には、表示データを作成するときに制御部５３が動作するためのプログラムである表示プログラム５２ｃと、キーが押下されたときに制御部５３が動作するためのプログラムキーに対応する処理を行なう操作プログラム５２ａと、表示データとなる業種毎の代表的な表示データを格納した業種データ格納部５２ｄと、簡単な文字のフォントデータなどを格納した文字データ格納部５２ｅと、独自に作成した表示データを格納する独自データ格納部５２ｆと、を備えている。
【００２１】
また、本発明のリモコン装置の操作キーは、図２のリモコン装置の要部キー配置図に示されるように、点線枠５１ａで囲まれた「読み込み」キー５１ｂと、「保存」キー５１ｃと、「作成」キー５１ｄとを備えている。
【００２２】
制御部５３は、「作成」キー５１ｄが押下を検出すると、表示データの作成モードに入り、記憶部５２に格納されている表示データを信号処理部５５に送信する。
【００２３】
また、「読み込み」キー５１ｂと「保存」キー５１ｃは、カードインターフェース部５８を介しての記憶媒体への読み／書きを行なう機能を有し、「読み込み」キー５１ｂが押下されると、記憶媒体から表示データを読み込み記憶部５２に格納し、「保存」キー５１ｃが押下されると、記憶部５２に格納された表示データを記憶媒体に書き込む動作を行なう。
【００２４】
図３は、本発明のリモコン装置を用いて表示データを作成するためのシステム構成図であり、図に示されるように、表示データを写すモニターとなるテレビ６２のビデオ端子６０と、記憶媒体７１が接続されたリモコン装置５０のビデオＩ／Ｆ部５７とをＡＶケーブル６７で接続し、この後、「作成」キー５１ｄを押下することにより作成モードに入り、テレビ６２の画面の表示６５は、ＬＥＤ表示装置の表示部と同様に、ドット単位で表示される。
【００２５】
また、一度作成モードに入ると、制御部５３の動作プログラムは、表示プログラム５２ｃで動作するようになり、その後のキー操作によるテレビ６２に表示される画面表示は、ＬＥＤ表示装置をリモコン装置５０で操作する場合と同様の表示になる。
【００２６】
即ち、通常の屋外に設置されたＬＥＤ表示装置に対するリモコン装置操作では、リモコン装置５０の制御部５３は、押下されたキーのコードを赤外線信号でＬＥＤ表示装置に送信し、ＬＥＤ表示装置では受信されたコードを解析し、表示部の表示内容を変更するが、作成モードに入った後のリモコン装置５０の制御部５３は、押下されたキーのコードを自ら解析し、テレビに映し出された表示内容を変更する動作を行なう。
【００２７】
以上述べたように、本発明のリモコン装置によれば、パソコンが無くても表示データの作成や編集を行なうことができる。
【００２８】
また、テレビのモニターにはＬＥＤ表示装置の表示部同様の表示画面で作成できるので、表示データの作成が容易にできる。
【産業上の利用可能性】
【００２９】
本発明の技術は、屋外に設置されるＬＥＤ表示装置の表示データの作成に有用な技術である。
【図面の簡単な説明】
【００３０】
【図１】本発明のリモコン装置の内部構成を示すブロック図
【図２】本発明のリモコン装置の要部キー配置図
【図３】本発明のリモコン装置のシステム構成図
【図４】（ａ）従来のＬＥＤ表示装置の内部構成を示すブロック図、（ｂ）従来のリモコン装置の内部構成を示すブロック図
【図５】同表示データ作成を説明する図
【符号の説明】
【００３１】
１  ＬＥＤ表示装置
２、２２、５２  記憶部
【図１】
2006292859.tif 000003
【図２】
2006292859.tif 000004
【図３】
2006292859.tif 000005
【図４】
2006292859.tif 000006
【図５】
2006292859.tif 000007